(57)【特許請求の範囲】
【請求項１】
給紙トレイと、
前記給紙トレイの一端側の筐体に配置され、給紙ローラ軸心周りに回転する給紙ローラと、
前記給紙ローラに接近する第１位置と前記給紙ローラから離間する第２位置との間で変位可能なストッパ部材と、
前記ストッパ部材を前記第１位置と前記第２位置との間で変位させる駆動部と、
前記給紙ローラの表面から離間する方向の上側を向く第１面を有し、前記第１面が前記給紙ローラの表面の全面よりも前記上側となる第３位置と、前記給紙ローラの表面の少なくとも一部が前記第１面よりも前記上側となる第４位置との間で変位するセットガイドと、を備え、
前記駆動部により前記ストッパ部材が前記第１位置に配置されることにより、前記ストッパ部材が前記セットガイドに接触し且つ前記セットガイドが前記第３位置に移動し、前記駆動部により前記ストッパ部材が前記第２位置に配置されることにより、前記ストッパ部材が前記セットガイドから離間し且つ前記セットガイドが前記第４位置に移動すること
を特徴とする搬送装置。
【請求項２】
前記セットガイドは、前記給紙ローラ軸心に沿う第１回転軸心周りに回転可能であり、
前記ストッパ部材は、前記セットガイドの給紙方向側の端部と接触すること
を特徴とする請求項１に記載の搬送装置。
【請求項３】
前記セットガイドは、
前記第１回転軸心周りに回転可能であり、前記ストッパ部材と前記第１回転軸心よりも前記給紙方向側の端部で接触する第１部材と、
前記給紙ローラ軸心に沿う第２回転軸心周りに回転可能であり、前記第１面を有し、前記第１回転軸心よりも前記給紙方向の反対側の前記第１部材と前記第２回転軸心よりも前記給紙方向側の接触位置で接触する第２部材と、を備え、
前記駆動部により前記ストッパ部材が前記第１位置に配置され、前記第１部材と接触す
ることにより、前記第１部材が前記接触位置において前記第２部材と接触して、前記第１面が前記給紙ローラの表面よりも上側となる前記第３位置に移動し、前記駆動部により前記ストッパ部材が前記第２位置に配置され、前記第１部材が前記接触位置において前記第２部材から離間することにより、前記第１面が前記給紙ローラの表面よりも下側となる前記第４位置に移動すること
を特徴とする請求項２に記載の搬送装置。
【請求項４】
前記第２部材は、
前記第１面を有する第１部位と、
前記第１面と交差する方向に延び、前記第１面と前記第２回転軸心とを接続する第２部位と、を備え、
前記第２部位は、前記第３位置において、前記第１部材から離間すること
を特徴とする請求項３記載の搬送装置。
【請求項５】
前記第１回転軸心と前記第１部材の前記ストッパ部材に接触する位置との間の距離が、前記第１回転軸心と前記第１部材の前記第２部材に接触する前記接触位置との間の距離以上であること
を特徴とする請求項３または請求項４に記載の搬送装置。
【請求項６】
前記ストッパ部材は、給紙方向の反対側を向く第２面を有し、前記給紙ローラ軸心に沿った第３回転軸心周りに回転することにより、前記第１位置と前記第２位置との間を回動可能であり、
さらに、
前記ストッパ部材が前記第１位置にあるときに前記第３回転軸心と前記第２面の前記第２位置に対する前記第１位置側の端部である下端Ａとを結ぶ線分に直交する線を垂直ラインＰＬとした場合に、
前記ストッパ部材が前記第１位置にあるときに前記第２面の前記第１位置に対する前記第２位置側の端部である上端Ｂが前記垂直ラインＰＬ上にあり、且つ前記ストッパ部材が前記第１位置と前記第２位置との間を回動する際の前記第２面の軌跡が、前記垂直ラインＰＬの前記給紙方向側に位置すること
を特徴とする請求項１〜請求項５の何れか１項に記載の搬送装置。
【請求項７】
前記給紙ローラは、前記給紙ローラ軸心に沿って間隔を置いて配置された第１ローラと第２ローラとを備え、
前記ストッパ部材は、複数のストッパを備え、
前記複数のストッパのうちの第１ストッパが前記給紙ローラ軸心に沿う方向において前記第１ローラよりも前記第２ローラと反対側に配置され、前記複数のストッパのうちの第２ストッパが前記給紙ローラ軸心に沿う方向において前記第２ローラよりも前記第１ローラと反対側に配置され、前記複数のストッパのうちの第３ストッパが前記給紙ローラ軸心に沿う方向において前記第１ローラと前記第２ローラとの間に配置されること
を特徴とする請求項１〜請求項６の何れか１項に記載の搬送装置。
【請求項８】
前記セットガイドは、前記給紙ローラを前記給紙ローラ軸心に沿う方向に挟む２つの第１セットガイドと第２セットガイドとを備え、
前記第１セットガイドと前記第２セットガイドとが、前記給紙ローラ軸心に沿う方向に沿う軸に設けられること
を特徴とする請求項１〜請求項７の何れか１項に記載の搬送装置。
【請求項９】
前記駆動部は、前記給紙ローラに対向して配置されたリタードローラを駆動するためのモータであり、
前記モータの駆動力を前記ストッパ部材に伝達する伝達機構を備えること
を特徴とする請求項１〜請求項８の何れか１項に記載の搬送装置。
【発明の詳細な説明】
【技術分野】
【０００１】
本発明は、搬送装置に関する。
【背景技術】
【０００２】
特許文献１に記載の給紙装置は、フラップを備える。フラップは、待機位置と給紙位置との間で揺動する。待機位置とは用紙の搬送方向への移動を禁止する位置である。給紙位置とは用紙の搬送方向へ搬送を許容する位置である。フラップは、フラップ用バネにより給紙位置から待機位置へ付勢されている。フラップは、給紙時に、セットローラに搬送される用紙に押されて待機位置から給紙位置まで搖動する。
【先行技術文献】
【特許文献】
【０００３】
【特許文献１】特開２００８−２０７９４４号公報
【発明の概要】
【発明が解決しようとする課題】
【０００４】
上記特許文献１に記載の技術では、給紙時に、フラップが搬送される用紙に押されて待機位置から給紙位置まで揺動することにより、搬送される用紙は、フラップから搬送方向と反対方向の反力を受ける。この反力により、用紙が折れ曲がるなど変形するおそれがあった。特に、搬送される用紙の先端がカールしている場合は、用紙が変形する可能性が高くなる。
【０００５】
本発明は、このような課題に鑑みなされたものであり、その目的とするところは、給紙時に用紙が変形するのを防ぐことにある。
【課題を解決するための手段】
【０００６】
本発明の搬送装置は、給紙トレイと、前記給紙トレイの一端側の筐体に配置され、給紙ローラ軸心周りに回転する給紙ローラと、前記給紙ローラに接近する第１位置と前記給紙ローラから離間する第２位置との間で変位可能なストッパ部材と、前記ストッパ部材を前記第１位置と前記第２位置との間で変位させる駆動部と、前記給紙ローラの表面から離間する方向の上側を向く第１面を有し、前記第１面が前記給紙ローラの表面の全面よりも前記上側となる第３位置と、前記給紙ローラの表面の少なくとも一部が前記第１面よりも前記上側となる第４位置との間で変位するセットガイドと、を備え、前記駆動部により前記ストッパ部材が前記第１位置に配置されることにより、前記ストッパ部材が前記セットガイドに接触し且つ前記セットガイドが前記第３位置に移動し、前記駆動部により前記ストッパ部材が前記第２位置に配置されることにより、前記ストッパ部材が前記セットガイドから離間し且つ前記セットガイドが前記第４位置に移動することを特徴とする。
【０００７】
このように構成された本発明の搬送装置によれば、次のような作用効果を奏する。すなわち、ストッパ部材の第１位置と第２位置との間の変位が駆動部からの駆動力によって行われる。したがって、ストッパ部材が、給紙ローラにより搬送される用紙により第１位置から第２位置に変位するよりも、給紙時に用紙が折れ曲がるなど変形するおそれが低減する。
【０００８】
本発明の搬送装置は、前記セットガイドが、前記セットガイドの中央部に位置し、かつ前記給紙ローラ軸心に沿う第１回転軸心周りに回転可能であり、前記ストッパ部材が、前記セットガイドの給紙方向側の端部と接触することが好ましい。
【０００９】
このように構成された本発明の搬送装置によれば、ストッパ部材がセットガイドの中央部と接触するよりも、ストッパ部材がセットガイドに接触する場所であるセットガイドの給紙方向側の端部と第１回転軸心との間の距離が大きくなる。したがって、ストッパ部材が第１位置に位置する際に、セットガイドと接触して、セットガイドを第３位置に位置させるのに必要な力を低減させることができる。
【００１０】
本発明の搬送装置は、前記セットガイドが、前記第１回転軸心周りに回転可能であり、前記ストッパ部材と前記第１回転軸心よりも前記給紙方向側の端部で接触する第１部材と、前記給紙ローラ軸心に沿う第２回転軸心周りに回転可能であり、前記第１面を有し、前記第１回転軸心よりも前記給紙方向の反対側の前記第１部材と前記第２回転軸心よりも前記給紙方向側の接触位置で接触する第２部材と、を備え、前記駆動部により前記ストッパ部材が前記第１位置に配置され、前記第１部材と接触することにより、前記第１部材が前記接触位置において前記第２部材と接触して、前記第１面が前記給紙ローラの表面よりも上側となる前記第３位置に移動し、前記駆動部により前記ストッパ部材が前記第２位置に配置され、前記第１部材が前記接触位置において前記第２部材から離間することにより、前記第１面が前記給紙ローラの表面よりも下側となる前記第４位置に移動することが好ましい。
【００１１】
このように構成された本発明の搬送装置によれば、セットガイドの第１面が給紙ローラの上側および給紙ローラの下側へ移動する移動範囲を大きくすることができ、より確実に用紙を給紙ローラに接触および非接触にすることができる。
【００１２】
本発明の搬送装置は、前記第２部材が、前記第１面を有する第１部位と、前記第１面と交差する方向に延び、前記第１面と前記第２回転軸心とを接続する第２部位と、を備え、前記第２部位が、前記第３位置において、前記第１部材から離間することが好ましい。
【００１３】
このように構成された本発明の搬送装置によれば、第２部位が、第３位置において、第１部材と接触するよりも、第１部材が第２部材に接触する場所と第２回転軸心との間の距離が大きくなる。したがって、ストッパ部材が第１位置に位置する際に、第１部材が第２部材と接触して、第１面を給紙ローラの表面よりも上側に位置させるのに必要な力を低減させることができる。
【００１４】
本発明の搬送装置は、前記第１回転軸心と前記第１部材の前記ストッパ部材に接触する位置との間の距離が、前記第１回転軸心と前記第１部材の前記第２部材に接触する前記接触位置との間の距離以上であることが好ましい。
【００１５】
このように構成された本発明の搬送装置によれば、次のような作用効果を奏する。すなわち、ストッパ部材が第１位置に位置した際に、第１部材が第１回転軸心周りに回転し、第２部材を第２回転軸心周りに回転させる。この時、第１部材は、ストッパ部材および第２部材から力を受ける。本発明の搬送装置では、第１回転軸心と第１部材のストッパ部材に接触する位置との間の距離が、第１回転軸心と第１部材の第２部材に接触する接触位置との間の距離以上であるので、より小さい駆動力で、第１部材が第２部材を回転させることができる。よって、駆動部の駆動力を低減できる。
【００１６】
本発明の搬送装置は、前記第２部材の前記第１部位が、前記第３位置において、前記第１部材との前記接触位置から鉛直下向き方向と水平方向との間の方向に延びることが好ましい。
【００１７】
このように構成された本発明の搬送装置によれば、セットガイドが第３位置から第４位置へ移動する際に、第２部材が自重により回動して、第１面が給紙ローラの上側から給紙ローラの下側に向けて移動しやすくなる。したがって、より簡単な構成で第２部材を回動させることができる。
【００１８】
本発明の搬送装置は、前記ストッパ部材が、前記給紙方向の反対側を向く第２面を有し、前記給紙ローラ軸心に沿った第３回転軸心周りに回転することにより、前記第１位置と前記第２位置との間を回動可能であり、前記ストッパ部材が前記第１位置と前記第２位置との間を回動する際の前記第２面の軌跡が、前記第１位置に位置する前記ストッパ部材の先端に対して前記第２面が前記給紙方向側に位置することが好ましい。
【００１９】
このように構成された本発明の搬送装置によれば、ストッパ部材が第１位置から第２位置へ回動する際に、第２面に当接する用紙を給紙方向の反対側へ押し戻さなくて良くなる。この結果、ストッパ部材が用紙を給紙方向の反対側へ押し戻すことによる用紙からの反力が低減できる。この反力が低減できる分ストッパ部材の駆動力を低下させることができる。
【００２０】
本発明の搬送装置は、前記給紙ローラが、前記給紙ローラ軸心に沿って間隔を置いて配置された第１ローラと第２ローラとを備え、前記ストッパ部材が、複数のストッパを備え、前記複数のストッパのうちの第１ストッパが前記給紙ローラ軸心に沿う方向において前記第１ローラよりも前記第２ローラと反対側に配置され、前記複数のストッパのうちの第２ストッパが前記給紙ローラ軸心に沿う方向において前記第２ローラよりも前記第１ローラと反対側に配置され、前記複数のストッパのうちの第３ストッパが前記給紙ローラ軸心に沿う方向において前記第１ローラと前記第２ローラとの間に配置されることが好ましい。
【００２１】
このように構成された本発明の搬送装置によれば、二つのローラの給紙ローラ軸心に沿う方向の幅寸法以下である用紙を使用する場合でも、第１位置に位置する第３ストッパに用紙を接触させることができる。
【００２２】
本発明の搬送装置は、前記セットガイドが、前記給紙ローラを前記給紙ローラ軸心に沿う方向に挟む２つの第１セットガイドと第２セットガイドとを備え、前記第１セットガイドと前記第２セットガイドとが、前記給紙ローラ軸心に沿う方向に沿う軸に設けられることが好ましい。
【００２３】
このように構成された本発明の搬送装置によれば、２つの第１セットガイドと第２セットガイドの回動状態の同期が取れるので、給紙ローラにより搬送される用紙の先端が揃い、斜行を低減することができる。
【００２４】
本発明の搬送装置は、前記駆動部が、前記給紙ローラに対向して配置されたリタードローラを駆動するためのモータであり、前記モータの駆動力を前記ストッパ部材に伝達する伝達機構を備えることが好ましい。
【００２５】
ストッパ部材を駆動するためのモータを別途備える場合には、リタードローラを駆動するためのモータとの間で同期させる必要があるが、本発明の搬送装置によれば、上述のような同期を行わなくてもよい。また、ストッパ部材を駆動するためのモータを別途備える場合に比べて、搬送装置を簡単な構成とすることができる。
【００２６】
本発明の搬送装置は、給紙トレイと、前記給紙トレイの一端側に配置され、給紙ローラ軸心周りに回転する給紙ローラと、前記給紙ローラによる給紙方向への用紙の侵入を規制する規制位置と、前記給紙方向への用紙の侵入を許可する許可位置との間で移動するストッパ部材と、前記ストッパ部材を前記規制位置と前記許可位置との間で移動させる駆動部と、前記駆動部により前記ストッパ部材が前記規制位置に配置されることにより、前記ストッパ部材と接触して用紙を前記給紙ローラと非接触にさせる非接触位置に移動し、前記駆動部により前記ストッパ部材が前記許可位置に配置されることにより、前記ストッパ部材から離間して用紙を前記給紙ローラと接触させる接触位置に移動するセットガイドと、を備えることを特徴とする。
【００２７】
このように構成された本発明の搬送装置によれば、次のような作用効果を奏する。すなわち、ストッパ部材の規制位置と許可位置との間の変位が駆動部からの駆動力によって行われる。したがって、ストッパ部材が、給紙ローラにより搬送される用紙により規制位置から許可位置に変位するよりも、給紙時に用紙が折れ曲がるなど変形するおそれが低減する。
【００２８】
本発明の搬送装置は、給紙トレイと、前記給紙トレイの一端側の筐体に配置され、給紙ローラ軸心周りに回転する給紙ローラと、前記給紙ローラによる給紙方向への用紙の侵入を規制する規制状態と、前記給紙方向への用紙の侵入を許可する許可状態とを規定するストッパ部材と、前記ストッパ部材を前記規制状態と前記許可状態とに変化させる駆動部と、前記駆動部により前記ストッパ部材が前記規制状態に変化されることにより、前記ストッパ部材と同期して用紙を前記給紙ローラと非接触にさせる非接触状態となり、前記駆動部により前記ストッパ部材が前記許可状態に変化されることにより、前記ストッパ部材と同期して用紙を前記給紙ローラと接触させる接触状態にさせるセットガイドと、を備えることを特徴とする。
【００２９】
このように構成された本発明の搬送装置によれば、次のような作用効果を奏する。すなわち、ストッパ部材の規制状態と許可状態との間の変位が駆動部からの駆動力によって行われる。したがって、ストッパ部材が、給紙ローラにより搬送される用紙により規制位置から許可位置に変位するよりも、給紙時に用紙が折れ曲がるなど変形するおそれが低減する。
【図面の簡単な説明】
【００３０】
【図１】本実施形態の画像読取装置を示す斜視図である。
【図２】本実施形態の画像読取装置の給紙機構を示す斜視図である。
【図３】本実施形態の画像読取装置の給紙機構を示す側面図である。
【図４】本実施形態の画像読取装置の搬送機構を示す説明図である。
【図５】本実施形態の画像読取装置の給紙機構を示す斜視図である。
【図６】本実施形態の画像読取装置の給紙機構を示す側面図である。
【発明を実施するための形態】
【００３１】
以下に本発明の実施形態を図面とともに説明する。本発明は下記実施形態に限定されるものではなく、様々な態様にて実施することが可能である。
［１．画像読取装置１の構成の説明］
図１に示す画像読取装置１は、上述の搬送装置の一例に相当する構成を備える。
【００３２】
以下の説明においては、画像読取装置１を構成する各部の相対的な位置関係を簡潔に説明するために、図中に併記した上下左右前後の各方向を利用して説明を行う。
画像読取装置１は、図１に示すように、筐体１０と、給紙トレイ２０と、排出トレイ３０と、を備える。画像読取装置１は、筐体１０の内部に、給紙機構４０（図２参照）、図示しない搬送機構、図示しない画像読取部、図示しない電源ユニット、図示しない基板、などを備える。
【００３３】
［１．１．筐体１０の構成の説明］
筐体１０は、図１に示すように、第１筐体１１と、第２筐体１２と、を備える。第１筐体１１と第２筐体１２とは離間して配置される。第２筐体１２の上端は、第１筐体１１と開口１１Ａを形成する。第１筐体１１の上面は、第１筐体１１の後側から前側へ向かうに従って下側に傾斜する。第２筐体１２の下側前端部は、第１筐体１１の上側前端部に、左右方向に延びる回動軸心周りに回動可能に取り付けられている。これにより、第２筐体１２は、後端側が上方に持ち上がるように回動する。第２筐体１２は、第２筐体１２の上端が第１筐体１１に近接する閉位置と第１筐体１１から離間する開位置との間で回動可能である。第１筐体１１の上面と第２筐体１２の下面との間には、給紙トレイ２０から排出トレイ３０まで用紙が搬送される搬送路Ｐが設けられている。
【００３４】
第１筐体１１の上面が、搬送路Ｐを構成するシュート１３である。シュート１３は、給紙トレイ２０の一端側、すなわち給紙トレイの前側に配置されている。シュート１３は、後側から前側へ向かうに従って下側へ傾斜する。シュート１３は、後述する給紙トレイ２０に載置された用紙を前方且つ斜め下方へ案内する。
【００３５】
［１．２．給紙トレイ２０の構成の説明］
給紙トレイ２０は、図１に示すように、第１筐体１１の後端上部に、左右方向に延びる回動軸心周りに回動可能に取り付けられている。
【００３６】
この給紙トレイ２０においては、上方を向く面が、用紙を載置するための載置面２１となっている。また、載置面２１には、サイドガイド２２，２３が取り付けられている。サイドガイド２２，２３は、左右方向に間隔を空けて設けられる。サイドガイド２２，２３は、双方とも載置面２１に対して相対的に左右方向へスライド可能である。サイドガイド２２，２３は、図示しないラックピニオン機構によって、一方がスライドするのに連動して他方が反対方向へスライドするように構成される。
【００３７】
［１．３．排出トレイ３０の構成の説明］
排出トレイ３０は、図１に示すように、第１筐体１１の前端下部から前方に引き出し可能に構成されている。この排出トレイ３０においては、第１筐体１１から前方に引き出されたときに上方を向く面が、排出された用紙を載置するための載置面３１となっている。
【００３８】
［１．４．給紙機構４０の構成の説明］
給紙機構４０は、図２および図３に示すように、開口１１Ａ付近の第１筐体１１、および第２筐体１２に配置されている。給紙機構４０は、給紙ローラ４１と、リタードローラ４２（図４参照）と、セットガイド４３と、ストッパ部材４４と、駆動機構４５（図４参照）と、支持部材４６と、を備える。
【００３９】
［１．４．１．支持部材４６の構成の説明］
支持部材４６は、図２に示すように、上側を向く面４６１Ａを有する。面４６１Ａには、第１開口４６１Ｂと、第２開口４６１Ｃと、第３開口４６１Ｆと、が形成されている。第１開口４６１Ｂは、右側の面４６１Ａに形成されている。第２開口４６１Ｃは、左側の面４６１Ａに形成されている。第１開口４６１Ｂには、第１ローラ４１１、および第１セットガイド４３１が挿通されており、第１ストッパ４４１が挿通可能である。第１ローラ４１１、第１セットガイド４３１および第１ストッパ４４１については後述する。第２開口４６１Ｃには、第２ローラ４１２、および第２セットガイド４３２が挿通されており、第２ストッパ４４２が挿通可能である。第２ローラ４１２、第２セットガイド４３２および第２ストッパ４４２については後述する。第３開口４６１Ｆは、中央の面４６１Ａに形成されている。第３開口４６１Ｆには、第３ストッパ４４３が挿通可能である。第３ストッパ４４３については後述する。
【００４０】
支持部材４６の右側後端部には、第１爪部４６１Ｄが形成されている。第１爪部４６１Ｄは、第１筐体１１に係止される。支持部材４６の左側後端部には、第２爪部４６１Ｅが形成されている。第２爪部４６１Ｅは、第１筐体１１に係止される。これにより、支持部４６は、第１筐体１１に固定される。
【００４１】
支持部材４６の右側前端部は、中央前端部よりも前方に延びる。支持部材４６の右側前端部の先端は、第１筐体１１に取り付けられる。
支持部材４６の左側前端部は、中央前端部よりも前方に延びる。支持部材４６の左側前端部の先端は、第１筐体１１に取り付けられる。
【００４２】
［１．４．２．給紙ローラ４１の構成の説明］
給紙ローラ４１は、図２に示すように、第１ローラ４１１と、第２ローラ４１２と、を備える。第１ローラ４１１および第２ローラ４１２は、図示しない左右方向に延びる同一の回転軸によって第１筐体１１に取り付けられている。第１ローラ４１１および第２ローラ４１２は、左右方向に延びる給紙ローラ軸心４１３に沿って間隔を置いて配置される。
【００４３】
第１ローラ４１１は、左右方向に延びる給紙ローラ軸心４１３周りに回転する。第１ローラ４１１のローラ面４１１Ａは、搬送路Ｐに第１開口４６１Ｂから突出して露出する。ローラ面４１１Ａは、支持部材４６に載置された、すなわち給紙トレイ２０の載置面２１に載置された用紙に接触可能である。
【００４４】
第２ローラ４１２は、左右方向に延びる給紙ローラ軸心４１３周りに回転する。第２ローラ４１２のローラ面４１２Ａは、搬送路Ｐに第２開口４６１Ｃから突出して露出する。ローラ面４１２Ａは、支持部材４６に載置された、すなわち給紙トレイ２０の載置面２１に載置された用紙に接触可能である。
【００４５】
第１ローラ４１１および第２ローラ４１２は、同一の回転軸により、同期しながら給紙方向に回転する。第１ローラ４１１および第２ローラ４１２の給紙方向は、第１ローラ４１１および第２ローラ４１２が右側から見て反時計回りに回転された際に用紙が搬送される方向である。第１ローラ４１１および第２ローラ４１２は、支持部材４６に載置された、すなわち給紙トレイ２０の載置面２１に載置された用紙に当接しつつ給紙方向に回転する。
【００４６】
［１．４．３．リタードローラ４２の構成の説明］
リタードローラ４２は、給紙ローラ４１に対向して配置されている。リタードローラ４２は、給紙ローラ４１と協働して、用紙を１枚ずつ搬送方向下流側に送り出す。
【００４７】
［１．４．４．ストッパ部材４４の構成の説明］
ストッパ部材４４は、図２に示すように、第１ストッパ４４１と、第２ストッパ４４２と、第３ストッパ４４３と、支持部材４４４と、を備える。
【００４８】
支持部材４４４は、支持部材４６の上側において、左右方向に沿って延びる部分を有する。支持部材４４４は左右方向に沿って延びる部分の右側端部から前方に延びる。右側の支持部材４４４の前方に延びた先端は、左右方向に延びる回転軸によって第２筐体１２に取り付けられている。支持部材４４４は、は左右方向に沿って延びる部分の左側端部から前方に延びる。左側の支持部材４４４の前方に延びた先端は、左右方向に延びる回転軸によって第２筐体１２に取り付けられている。右側の支持部材４４４の前方に延びた先端、および左側の支持部材４４４の前方に延びた先端には孔部が形成され、第２筐体１２に形成された図示しない突起が穴部に挿通される。
支持部材４４４は、これら穴部を通過する左右方向に沿った第３回転軸心４４４Ａ周りに回転する。支持部材４４４の右側端部には、突起４４４Ｂが形成されている。
突起４４４Ｂは、支持部材４４４の右側端部から右方向に突出する。突起４４４Ｂは、上側を向く上面４４４Ｃを有する。
【００４９】
第１ストッパ４４１、第２ストッパ４４２および第３ストッパ４４３は、それぞれ支持部材４４４の左右方向に沿って延びる部分から下方に延びる。
第１ストッパ４４１は、給紙ローラ軸心４１３に沿う方向において第１ローラ４１１よりも第２ローラ４１２と反対側に配置されている。第１ストッパ４４１は、給紙方向の反対側を向く第２面４４１Ｂを有する。
【００５０】
第２ストッパ４４２は、給紙ローラ軸心４１３に沿う方向において、第２ローラ４１２よりも第１ローラ４１１と反対側に配置されている。第２ストッパ４４２は、給紙方向の反対側を向く第２面４４２Ｂを有する。
【００５１】
第３ストッパ４４３は、給紙ローラ軸心４１３に沿う方向において、第１ローラ４１１と第２ローラ４１２との間に配置されている。第３ストッパ４４３は、給紙方向の反対側を向く第２面４４３Ｂを有する。
【００５２】
ストッパ部材４４は、第３回転軸心４４４Ａ周りに回転することにより、第１位置と第２位置との間で変位する。第１位置は、ストッパ部材４４が給紙ローラ４１に接近する位置である。ストッパ部材４４が第１位置にある場合、第１ストッパ４４１の下端４４１Ｃは、面４６１Ａの第１開口４６１Ｂに挿入する。ストッパ部材４４が第１位置にある場合、第２ストッパ４４２の下端４４２Ｃは、面４６１Ａの第２開口４６１Ｃに挿入する。ストッパ部材４４が第１位置にある場合、第３ストッパ４４３の下端４４３Ｃは、面４６１Ａの第３開口４６１Ｆに挿入する。
【００５３】
第１位置に配置された第１ストッパ４４１の下端４４１Ｃ、第２ストッパ４４２の下端４４２Ｃ、および第３ストッパ４４３の下端４４３Ｃは、第１ローラ４１１のローラ面４１１Ａの上部、および第２ローラ４１２のローラ面４１２Ａの上部よりも下側に位置する。従って、支持部材４６に載置された用紙は、第１ストッパ４４１の第２面４４１Ｂ、第２ストッパ４４１の第２面４４２Ｂ、第３ストッパ４４３の第２面４４３Ｂのいずれかに当接し、給紙方向への侵入が規制される。言い換えれば、第１位置は、第１ローラ４１１、および第２ローラ４１２による給紙方向への用紙の侵入をストッパ部材４４が規制する規制位置である。
【００５４】
第２位置は、ストッパ部材４４が給紙ローラ４１から離間する位置である。ストッパ部材４４が第２位置にある場合、第１ストッパ４４１の下端４４１Ｃは、面４６１Ａの第１開口４６１Ｂに対して上側に位置する。ストッパ部材４４が第２位置にある場合、第２ストッパ４４２の下端４４２Ｃは、面４６１Ａの第２開口４６１Ｃに対して上側に位置する。ストッパ部材４４が第２位置にある場合、第３ストッパ４４３の下端４４３Ｃは、面４６１Ａの第３開口４６１Ｆに対して上側に位置する。
第２位置に配置された第１ストッパ４４１の下端４４１Ｃ、第２ストッパ４４２の下端４４２Ｃ、および第３ストッパ４４３の下端４４３Ｃは、第１ローラ４１１のローラ面４１１Ａの上部、および第２ローラ４１２のローラ面４１２Ａの上部よりも上側に位置する。従って、支持部材４６に載置された用紙は、第１ストッパ４４１の第２面４４１Ｂ、第２ストッパ４４１の第２面４４２Ｂ、および第３ストッパ４４３の第２面４４３Ｂに当接することがなく、給紙方向への侵入が許可される。言い換えれば、第２位置は、第１ローラ４１１、および第２ローラ４１２による給紙方向への用紙の侵入をストッパ部材４４が許可する許可位置である。
【００５５】
ストッパ部材４４は、付勢ばね４４５の付勢力により、第３回転軸心４４４Ａ周りに、右側から見て反時計回りに回転するよう付勢されている。
ストッパ部材４４が第１位置と第２位置との間を回動する際の第２面４４１Ｂ，４４２Ｂ，４４３Ｂの軌跡が、ストッパ部材４４が第１位置に位置する際の下端４４１Ｃ，４４２Ｃ，４４３Ｃに対して第２面４４１Ｂ，４４２Ｂ，４４３Ｂが給紙方向側に位置する。
【００５６】
以下に、第２面４４１Ｂについて説明する。
図３（Ｂ）および図６（Ｂ）に示すように、第３回転軸心４４４Ａと第２面４４１Ｂの下端Ａとを結ぶ線分に直交する線を垂直ラインＰＬとする。ストッパ部材４４が第１位置と第２位置との間を回動する際の第２面４４１Ｂの下端点Ａの軌跡は、第３回転軸心４４４Ａから第２面４４１Ｂの下端点Ａまでの距離を半径とする円弧で示される。ストッパ部材４４が第１位置と第２位置との間を回動する際の第２面４４１Ｂの上端点Ｂの軌跡は、第３回転軸心４４４Ａから第２面４４１Ｂの上端点Ｂまでの距離を半径とする円弧で示される。ストッパ部材４４が第１位置と第２位置との間を回動する際の第２面４４１Ｂの下端点Ａから第２面４４１Ｂの上端点Ｂまでの第２面４４１Ｂの軌跡は、垂直ラインＰＬより給紙方向側に位置する。第２面４４２Ｂおよび第２面４４３Ｂについても同様である。
【００５７】
［１．４．５．セットガイド４３の構成の説明］
セットガイド４３は、図２に示すように、第１セットガイド４３１と、第２セットガイド４３２と、を備えている。第１セットガイド４３１および第２セットガイド４３２は、支持部材４６に取り付けられている。第１セットガイド４３１は、給紙ローラ軸心４１３に沿う方向において第１ローラ４１１よりも第２ローラ４１２と反対側に配置されている。第２セットガイド４３２は、給紙ローラ軸心４１３に沿う方向において第２ローラ４１２よりも第１ローラ４１１と反対側に配置されている。第１セットガイド４３１および第２セットガイド４３２は、第１ローラ４１１および第２ローラ４１２を給紙ローラ軸心４１３に沿う方向に挟んでいる。
【００５８】
第１セットガイド４３１は、第１部材４３１Ａと、第２部材４３１Ｂと、を備える。
第１部材４３１Ａは、前後方向に延びる。前後方向の中央部の第１部材４３１Ａに右方向の突出する軸が形成される。この軸は第１筐体１１に形成される穴部に挿通され、第１部材４３１Ａは、給紙ローラ軸心４１３に沿う第１回転軸心４３１Ｃ周りに回転する。第１部材４３１Ａの第１回転軸心４３１Ｃよりも給紙方向側の端部４３１Ｄは、第１ストッパ４４１の下端４４１Ｃの下方に位置する。
【００５９】
第２部材４３１Ｂは、第１部位４３１Ｆと、第２部位４３１Ｇと、を備える。第１部位４３１Ｆは、前後方向に延びる。第２部位４３１Ｇは、上下方向に延びる。第１部位４３１Ｆの後端部と第２部位４３１Ｇの上端部とが接続する。第１部位４３１Ｆは、上側を向く第１面４３１Ｈを有する。言い換えれば、第１面４３１Ｈは、給紙ローラ４１の表面から離間する方向を向き、第２部位４３１Ｇは、第１面４３１Ｈと交差する方向に延びる。
第２部位４３１Ｇの下端部に穴部が形成され、軸４３３が挿通される。軸４３３の延びる方向が第２回転軸心４３１Ｉであり、第２回転軸心４３１Ｉは、給紙ローラ軸心４１３に沿う。第２部材４３１Ｂは、第２回転軸心４３１Ｉ周りに回転する。左右方向に沿う軸４３３は、支持部材４６に支持され、第２部材４３１Ｂが、軸４３３を中心に回転する。または、左右方向に沿う軸４３３は、支持部材４６に回転可能に支持され、第２部材４３１Ｂが、軸４３３と一体的に回転する。
【００６０】
第１部位４３１Ｆは、第１部材４３１Ａの給紙方向とは反対側の端部４３１Ｅの上方に位置する。第２部位４３１Ｇは、第１部材４３１Ａの給紙方向とは反対側の端部４３１Ｅの後方に位置する。
【００６１】
第２セットガイド４３２は、第１部材４３２Ａと、第２部材４３２Ｂと、を備える。
第１部材４３２Ａは、給紙ローラ軸心４１３に沿う第１回転軸心４３２Ｃ周りに回転する。第１部材４３２Ａの第１回転軸心４３２Ｃよりも給紙方向側の端部４３２Ｄは、第２ストッパ４４２の先端４４２Ｃの下方に位置する。
【００６２】
第２部材４３２Ｂは、第１部位４３２Ｆと、第２部位４３２Ｇと、を備える。第１部位４３２Ｆは、前後方向に延びる。第２部位４３２Ｇは、上下方向に延びる。第１部位４３２Ｆの後端部と第２部位４３２Ｇの上端部とが接続する。第１部位４３２Ｆは、上側を向く第１面４３２Ｈを有する。言い換えれば、第１面４３２Ｈは、給紙ローラ４１の表面から離間する方向を向き、第２部位４３２Ｇは、第１面４３２Ｈと交差する方向に延びる。第２部位４３２Ｇの下端部に穴部が形成され、軸４３３が挿通される。軸４３３の延びる方向が第２回転軸心４３２Ｉであり、第２回転軸心４３２Ｉは、給紙ローラ軸心４１３に沿う。第２部材４３２Ｂは、第２回転軸心４３１Ｉ周りに回転する。左右方向に沿う軸４３３は、支持部材４６に支持され、第２部材４３２Ｂが、軸４３３を中心に回転する。または、左右方向に沿う軸４３３は、支持部材４６に回転可能に支持され、第２部材４３２Ｂが、軸４３３と一体的に回転する。
【００６３】
第１部位４３２Ｆは、第１部材４３２Ａの給紙方向とは反対側の端部４３２Ｅの上方に位置する。第２部位４３２Ｇは、第１部材４３２Ａの給紙方向とは反対側の端部４３２Ｅの後方に位置する。
【００６４】
セットガイド４３は、第３位置と第４位置との間で変位する。第３位置は、図２、および図３に示すように、第１面４３１Ｈ，４３２Ｈが、給紙ローラ４１の表面の全面よりも上側となる位置である。上側とは、給紙ローラ４１の表面から離間する方向を示す。この結果、第３位置に位置するセットガイド４３の第１面４３１Ｈ、４３２Ｈに載置された用紙は、給紙ローラ４１と接触しない。第３位置では、第１セットガイド４３１の端部４３１Ｄが、第１位置にある第１ストッパ４４１の下端４４１Ｃと接触する。第３位置では、第２セットガイド４３２の端部４３２Ｄが、第１位置にある第２ストッパ４４２の下端４４２Ｃと接触する。
【００６５】
第４位置は、図５および図６に示すように、給紙ローラ４１の表面の少なくとも一部が第１面４３１Ｈ，４３２Ｈよりも上側となる位置である。第４位置では、第１セットガイド４３１の端部４３１Ｄが、第２位置にある第１ストッパ４４１の下端４４１Ｃから離間する。第４位置では、第２セットガイド４３２の端部４３２Ｄが、第２位置にある第２ストッパ４４２の下端４４２Ｃから離間する。この結果、載置された用紙は、給紙ローラ４１と接触する。
【００６６】
図３に示すように、第１回転軸心４３１Ｃと端部４３１Ｄとの間の距離Ｒ１は、第１部材４３１Ａが第２部材４３１Ｂに接触する接触位置４３１Ｅと第１回転軸心４３１Ｃとの間の距離Ｒ２以上である。
第１回転軸心４３２Ｃと端部４３２Ｄとの間の距離Ｒ１は、第１部材４３２Ａが第２部材４３２Ｂに接触する接触位置４３２Ｅと第１回転軸心４３２Ｃとの間の距離Ｒ２以上である。
【００６７】
［１．４．６．駆動機構４５の構成の説明］
駆動機構４５は、図４に示すように、第１駆動機構４５１と、第２駆動機構４５２と、を備える。
【００６８】
第１駆動機構４５１は、下側駆動機構４５１Ａと、上側駆動機構４５１Ｂと、を備える。
下側駆動機構４５１Ａは、第１筐体１１に組み付けられている。下側駆動機構４５１Ａは、リタードローラ用のモータＭ１を備える。モータＭ１は、本発明の駆動部の一例である。モータＭ１からは出力軸が延出する。出力軸は、左右方向に沿っている。出力軸の先端には出力歯車が取り付けられている。出力歯車、歯車１０２Ａおよび歯車１０２ＢにはベルトＭ１Ｃが掛け渡されている。歯車１０２Ａは、左右方向に延びる回転軸４５１Ｃの一端に取り付けられている。回転軸４５１Ｃは、歯車１０２Ａの回転に伴って回転可能である。搬送ローラ４５１Ｃ１，４５１Ｃ２が回転軸４５１Ｃに取り付けられ、モータＭ１の回転による駆動力により回転する。詳細には、モータＭ１が正方向に回転されると、搬送ローラ４５１Ｃ１，４５１Ｃ２が搬送方向に回転される。回転軸４５１Ｃの他端には歯車１０２Ｃが取り付けられている。歯車１０２Ｃと歯車１０６Ａとの間には歯車１０３Ａ、歯車１０４Ａおよび歯車１０５Ａが配置されている。モータＭ１の回転による駆動力は、歯車１０２Ａ、歯車１０２Ｃ、歯車１０３Ａ、歯車１０４Ａおよび歯車１０５Ａを介して歯車１０６Ａに伝達される。歯車１０６Ａの回転は、後述する上側駆動機構４５１Ｂの歯車１０７Ａに伝達される。一方、歯車１０２Ｂは、回転軸４５１Ｄの一端に取り付けられている。回転軸４５１Ｄは、歯車１０２Ｂの回転に伴って回転可能である。排紙ローラ４５１Ｄ１，４５１Ｄ２が回転軸４５１Ｄに取り付けられ、モータＭ１の回転による駆動力により回転する。詳細には、モータＭ１が正方向に回転されると、排紙ローラ４５１Ｄ１，４５１Ｄ２が搬送方向に回転される。回転軸４５１Ｄと歯車１０２Ｂとの間には、図示しないワンウェイクラッチが組み込まれている。これにより、詳細には、モータＭ１が逆方向に回転されても、排紙ローラ４５１Ｄ１，４５１Ｄ２にモータＭ１の駆動力は伝達されない。
【００６９】
上側駆動機構４５１Ｂは、第２筐体１２に組み付けられている。上側駆動機構４５１Ｂは、歯車１０７Ａを備える。歯車１０７Ａは、歯車１０６Ａと噛み合っている。歯車１０７Ａには、歯車１０８Ａ、および歯車１１５Ａが噛み合っている。歯車１０８Ａは、左右方向に延びる回転軸１０８Ｂの一端に取り付けられている。回転軸１０８Ｂの他端には、歯車１０８Ｃが取り付けられている。歯車１０８Ｃと歯車１１０Ａとの間には歯車１０９Ａが配置されている。歯車１１０Ａは、リタードローラ４２の回転軸４５１Ｅの一端に取り付けられている。歯車１０７Ａの回転は、歯車１０８Ａ、歯車１０８Ｃおよび歯車１０９Ａを介して歯車１１０Ａに伝達される。歯車１１０Ａの回転は、回転軸４５１Ｅを介してリタードローラ４２に伝達される。歯車１１０Ａとリタードローラ４２との間に図示しないトルクリミッタが取り付けられる。モータＭ１が正方向に回転されると、リタードローラ４２は、給紙方向と反対方向に回転し、給紙ローラ４１とリタードローラ４２との間に進入した複数の用紙を１枚に分離する。一方、給紙ローラ４１とリタードローラ４２との間に１枚の用紙が侵入すると、トルクリミッタにより、リタードローラ４２は給紙方向に回転する。
【００７０】
一方、歯車１１５Ａは、回転軸４５１Ｆの一端に取り付けられている。回転軸４５１Ｆの他端は、図３に示すように、カム４５１Ｇが取り付けられている。モータＭ１の回転力は、歯車１１５Ａから回転軸４５１Ｆへ伝達される。回転軸４５１Ｆの回転は、カム４５１Ｇに伝達される。回転軸４５１Ｆと歯車１１５Ａとの間には、図示しないワンウェイクラッチが組み込まれている。これにより、モータＭ１が正方向に回転されると、モータＭ１の駆動力は、歯車１１５Ａから回転軸４５１Ｆへ伝達されない。一方、モータＭ１が逆方向に回転されると、モータＭ１の駆動力は、歯車１１５Ａから回転軸４５１Ｆへ伝達され、カム４５１Ｇに駆動力が伝達される。
【００７１】
回転軸４５１Ｆは、付勢ばね４５１Ｈにより、右側から見て反時計回りに付勢されている。
カム４５１Ｇは、ストッパ部材４４４の突起４４４Ｂに上側から係合する。回転軸４５１Ｆの回転によりカム４５１Ｇが突起４４４Ｂを押し下げると、ストッパ部材４４が第１位置になる。回転軸４５１Ｆの回転によりカム４５１Ｇが突起４４４Ｂから離間しようとすると、ストッパ部材４４が、付勢ばね４４５の付勢力により第２位置になる。
【００７２】
第１駆動機構４５１は、本発明の伝達機構の一例である。
第２駆動機構４５２は、第１筐体１１に組み付けられている。第２駆動機構４５２は、給紙ローラ４１用のモータＭ２を備える。モータＭ２からは出力軸が延出する。出力軸は、左右方向に沿っている。出力軸の先端には出力歯車が取り付けられている。出力歯車および歯車１１１ＡにはベルトＭ２Ｃが掛け渡されている。回転軸４５２Ａの一端には歯車１１４Ａが取り付けられている。回転軸４５２Ａの他端は、給紙ローラ４１に取り付けられている。歯車１１１Ａと歯車１１４Ａとの間には歯車１１２Ａおよび歯車１１３Ａが配置されている。モータＭ２の回転による駆動力は、歯車１１１Ａ、歯車１１２Ａ、歯車１１３Ａおよび歯車１１４Ａを介して回転軸４５２Ａに伝達される。回転軸４５２Ａが回転されると給紙ローラ４１が給紙方向に回転する。
【００７３】
［２．画像読取装置１の動作の説明］
次に、画像読取装置１の動作を説明する。
画像読取装置１の電源が投入されると、図示しない制御部が、モータＭ１を逆方向に回転させる。この結果、図２および図３に示すように、ストッパ部材４４が第２位置から第１位置に移動させる。詳細には、図６（ｂ）に示すように、モータＭ１に電力が供給されていない状態では、ストッパ部材４４は第２位置に位置する。第２位置において、カム４５１Ｇは、回転軸４５１Ｆに取り付けられた付勢ばね４５１Ｈにより反時計回りに付勢され、カム４５１Ｇの平面が、付勢ばね４４５により上方向に付勢されたストッパ部材４４４の突起４４４Ｂの上面に接する。モータＭ１が逆方向に回転すると、回転軸４５１Ｆから伝達されたモータＭ１の駆動力により、カム４５１Ｇが回転し、図３（ｂ）に示すように、カム４５１Ｇの曲面が突起４４４Ｂを押し下げる。この結果、ストッパ部材４４が第１位置に移動する。ストッパ部材４４が第１位置に移動すると、第４位置に位置していたセットガイド４３を、第３位置に移動させる。すなわち、第１ストッパ４４１の下端４４１Ｃが下方に移動し、第１セットガイド４３１の給紙方向側の端部４３１Ｄを下側に押す。給紙方向側の端部４３１Ｄを下側に押されると、第１部材４３１Ａは、第１回転軸心４３１Ｃ周りに回転し、給紙方向とは反対側の端部４３１Ｅが上方向に移動する。端部４３１Ｅが上方向に移動すると、端部４３１Ｅは、第２部材４３１Ｂの第１部位４３１Ｆを上方向に移動させる。この際、第２部材４３１Ｂは第２回転軸心４３１Ｉ周りに回転する。この結果、セットガイド４３は、第３位置に位置する。セットガイド４３が第３位置に位置することにより、第２部材４３１Ｂの第１面４３１Ｈが給紙ローラ４１の表面の全面よりも給紙ローラ４１の表面から離間する方向の上側となる。
【００７４】
第２ストッパ４４２の下端４４２Ｃが下方に移動し、第２セットガイド４３２の給紙方向側の端部４３２Ｄを下側に押す。給紙方向側の端部４３２Ｄを下側に押されると、第１部材４３２Ａは、第１回転軸心４３２Ｃ周りに回転し、給紙方向とは反対側の端部４３２Ｅが上方向に移動する。端部４３２Ｅが上方向に移動すると、端部４３２Ｅは、第２部材４３２Ｂの第１部位４３２Ｆを上方向に移動させる。この際、第２部材４３２Ｂは第２回転軸心４３２Ｉ周りに回転する。この結果、セットガイド４３は、第３位置に位置する。セットガイド４３が第３位置に位置することにより、第２セットガイド４３２の第２部材４３２Ｂと接触する。第２部材４３２Ｂの第１面４３２Ｈが給紙ローラ４１の表面の全面よりも給紙ローラ４１の表面から離間する方向の上側となる。
【００７５】
開位置にした給紙トレイ２０に用紙をセットすると、セットした用紙がシュート１３に載置される。用紙の給紙方向の先端側が、第３位置にあるセットガイド４３の第１面４３１Ｈ，４３２Ｈに載置された状態となる。用紙の先端は、給紙ローラ４１の第１ローラ４１１および第１ローラ４１２には接触しない。用紙の先端は、第１位置にあるストッパ部材４４に当接する。用紙の先端は、ストッパ部材４４よりも搬送路Ｐの下流側にあるリタードローラ４２には接触しない。
【００７６】
用紙の画像を読み取る指示、すなわち給紙指示が図示しない操作部または通信部を介して制御部に入力されると、制御部が、モータＭ１を正転方向に回転させ、図５および図６に示すように、ストッパ部材４４を第１位置から第２位置へ移動させるとともにリタードローラ４２を給紙方向とは反対方向に回転させる。制御部は、モータＭ２を正転方向に回転させ、給紙ローラ４１を給紙方向に回転させる。
【００７７】
ストッパ部材４４が第１位置から第２位置へ移動すると、セットガイド４３の第１セットガイド４３１および第２セットガイド４３２がストッパ部材４４の第１ストッパ４４１および第２ストッパから解放される。セットガイド４３は、ストッパ部材４４から離間することにより、第３位置から第４位置に移動する。より詳細には、モータＭ１が正転方向に回転すると、モータＭ１の駆動力は、ワンウェイクラッチにより歯車１１５Ａから回転軸４５１Ｆへ伝達されないので、カム４５１Ｇは、付勢ばね４５１Ｈにより反時計回りに付勢され、ストッパ部材４４は、付勢ばね４４５により第３回転軸心４４３Ａを中心に反時計回りに回転し、第２位置に移動する。ストッパ部材４４が第２位置に位置する状態においては、カム４５１Ｇの平面は、ストッパ部材４４の突起４４４Ｂの上面に接する。ストッパ部材４４が第２位置に位置する状態においては、第１セットガイド４３１の給紙方向側の端部４３１Ｄを下側に押していた第１ストッパ４４１の下端４４１Ｃが上方に移動し、端部４３１Ｄから離間する。下端４４１Ｃが端部４３１Ｄから離間すると、第１部材４３１Ａは自重により、第１回転軸心周りに回転し、給紙方向とは反対側の端部４３１Ｅが下方向に移動する。端部４３１Ｅが下方向に移動すると、端部４３１Ｅは、第２部材４３１Ｂの第１部位４３１Ｆから離間する。端部４３１Ｅが第１部位４３１Ｆから離間すると、第２部材４３１Ｂの第２部位４３１Ｇが、自重により下方向に移動する。この際、第２部材４３１Ｂは第２回転軸心４３１Ｉ周りに回転する。この結果、セットガイド４３は、第４位置に位置する。セットガイド４３が第４位置に位置することにより、給紙ローラ４１の表面の一部が、第２部材４３１Ｂの第１面４３１Ｈよりも上側となる。
【００７８】
すなわち、第１ストッパ４４１の下端４４１Ｃが、セットガイド４３の第１セットガイド４３１から離間する。第１セットガイド４３１の第１部材４３１Ａが、第１ストッパ４４１から離間することにより、右側から見て時計回りに回転する。第１部材４３１Ａが、右側から見て時計回りに回転することにより、第１セットガイド４３１の第２部材４３１Ｂから離間する。第２部材４３１Ｂが、第１部材４３１Ａから離間することにより、右側から見て反時計回りに回転して、給紙ローラ４１の表面の少なくとも一部が第１面４３１Ｈよりも給紙ローラ４１の表面から離間する方向の上側となる。
【００７９】
第２ストッパ４４２の下端４４２Ｃが、セットガイド４３の第２セットガイド４３２から離間する。第２セットガイド４３２の第１部材４３２Ａが、第２ストッパ４４２から離間することにより、左側から見て反時計回りに回転する。第１部材４３２Ａが、左側から見て反時計回りに回転することにより、第２セットガイド４３２の第２部材４３２Ｂから離間する。第２部材４３２Ｂが、第１部材４３２Ａから離間することにより、左側から見て時計回りに回転して、給紙ローラ４１の表面の少なくとも一部が第１面４３２Ｈよりも給紙ローラ４１の表面から離間する方向の上側となる。
【００８０】
ストッパ部材４４が第２位置に移動し且つセットガイド４３が第４位置に移動すると、ストッパ部材４４と給紙ローラ４１との間の隙間が生じる。この隙間に用紙が侵入する。
給紙ローラ４１がリタードローラ４２と用紙を挟みながら給紙方向に回転して用紙を搬送路Ｐの下流側に搬送する。複数枚の用紙が重なった状態で搬送されようとしている場合には、リタードローラ４２と用紙との間に摩擦力が作用することにより、用紙が１枚ずつ分離される。
【００８１】
搬送ローラ４５１Ｃ１，４５１Ｃ２などの搬送機構が、１枚ずつ分離された用紙を画像読取部に向けて搬送する。画像読取部では、用紙の画像を読み取る。画像読取部の出力信号は、基板の制御部に伝達されて、画像データ化される。
【００８２】
排出機構が、画像読取部で画像を読み取られた用紙を排出トレイ３０に排出する。
給紙トレイ２０上の用紙が無くなったことを図示しないセンサからの信号により検知すると、制御部が、モータＭ１を制御して、図２および図３に示すように、ストッパ部材４４を第２位置から第１位置へ移動させる。詳細は、上述したストッパ部材４４を第２位置から第１位置へ移動させる際の動作と同様である。セットガイド４３は、第１位置にあるストッパ部材４４に接触することにより、第４位置から第３位置に移動する。
【００８３】
すなわち、第１ストッパ４４１の下端４４１Ｃが、セットガイド４３の第１セットガイド４３１に接触する。第１セットガイド４３１の第１部材４３１Ａが、第１ストッパ４４１に接触することにより、右側から見て反時計回りに回転する。第１部材４３１Ａが、右側から見て反時計回りに回転することにより、第１セットガイド４３１の第２部材４３１Ｂに接触する。第２部材４３１Ｂが、第１部材４３１Ａに接触することにより、右側から見て時計回りに回転して、第１面４３１Ｈが給紙ローラ４１の表面の全面よりも給紙ローラ４１の表面から離間する方向の上側となる。
【００８４】
第２ストッパ４４２の下端４４２Ｃが、セットガイド４３の第２セットガイド４３２に接触する。第２セットガイド４３２の第１部材４３２Ａが、第２ストッパ４４２に接触することにより、左側から見て時計回りに回転する。第１部材４３２Ａが、左側から見て時計回りに回転することにより、第２セットガイド４３２の第２部材４３２Ｂに接触する。第２部材４３２Ｂが、第１部材４３２Ａに接触することにより、左側から見て反時計回りに回転して、第１面４３２Ｈが給紙ローラ４１の表面の全面よりも給紙ローラ４１の表面から離間する方向の上側となる。
［３．実施形態の効果］
（１）このように本実施形態の画像読取装置１によれば、次のような作用効果を奏する。すなわち、初期状態では、ストッパ部材４４が、給紙ローラ４１に接近する第１位置に移動すると、ストッパ部材４４の第１ストッパ４４１が、セットガイド４３の第１セットガイド４３１に接触する。第１セットガイド４３１の第１面４３１Ｈが給紙ローラ４１の表面の全面よりも給紙ローラ４１の表面から離間する方向の上側となる。すなわちセットガイド４３は、第３位置に移動する。よって、給紙トレイ２０の載置面２１に載置された用紙は、第１位置に位置するストッパ部材４４の第２面４４１Ｂに当接し、用紙の給紙方向の先端が揃いやすくなる。更に、セットガイド４３は、第３位置に位置することにより、第１面４３１Ｈが給紙ローラ４１の表面の全面よりも上側に位置するので、用紙が載置面２１に載置される際に、シュート１３から突出された給紙ローラ４１に接触する可能性が低くなる。この結果、用紙の給紙方向の先端が揃いやすくなる。ストッパ部材４４の第２ストッパ４４２およびセットガイド４３の第２セットガイド４３２も同様である。用紙の画像を読み取る指示が入力されると、制御部が、モータＭ１を制御して、第１ストッパ４４１を第１ローラ４１１から離間する第２位置へ移動させる。第１ストッパ４４１が第２位置へ移動すると、第１セットガイド４３１が第１ストッパ４４１から解放される。給紙ローラ４１の表面の少なくとも一部が第１セットガイド４３１の第１面４３１Ｈよりも給紙ローラ４１の表面から離間する方向の上側となる。第２ストッパ４４２および第２セットガイド４３２も同様である。このように、ストッパ部材４４の第１位置と第２位置との間の変位がモータＭ１からの駆動力によって行われる。したがって、ストッパ部材４４が、給紙ローラ４１により搬送される用紙により第１位置から第２位置に変位するよりも、給紙時に用紙が折れ曲がるなど変形するおそれが低減する。
【００８５】
（２）また、本実施形態の画像読取装置１によれば、次のような作用効果を奏する。すなわち、セットガイド４３が、第１回転軸心４３１Ｃ周りに回転可能である。第１回転軸心４３１Ｃは、セットガイド４３の中央部に位置し、かつ給紙ローラ軸心４１３に沿う。ストッパ部材４４の第１ストッパ４４１および第２ストッパ４４２が、それぞれセットガイド４３の給紙方向側の端部４３１Ｄ，４３２Ｄと接触する。このことにより、第１ストッパ４４１が第１セットガイド４３１の中央部と接触するよりも、端部４３１Ｄと第１回転軸心４３１Ｃとの間の距離Ｒ１が大きくなる。第２セットガイド４３２および第２ストッパ４４２においても同様である。したがって、ストッパ部材４４が第１位置に位置する際に、セットガイド４３と接触して、セットガイド４３を第３位置に位置させるのに必要な力を低減させることができる。
【００８６】
（３）また、本実施形態の画像読取装置１によれば、次のような作用効果を奏する。すなわち、第１セットガイド４３１が、第１部材４３１Ａと、第２部材４３１Ｂと、を備える。モータＭ１により第１ストッパ４４が第１位置に配置され、第１部材４３１Ａと接触することにより、第１部材４３１Ａが接触位置４３１Ｅにおいて第２部材４３１Ｂと接触して、第１面４３１Ｈが第１ローラ４１１の表面の全面よりも給紙ローラ４１の表面から離間する方向の上側となる第３位置に移動する。モータＭ１により第１ストッパ４４が第２位置に配置され、第１部材４３１Ａが接触位置４３１Ｅにおいて第２部材４３１Ｂから離間することにより、第１ローラ４１１の表面の少なくとも一部が第１セットガイド４３１の第１面４３１Ｈよりも給紙ローラ４１の表面から離間する方向の上側となる第４位置に移動する。第２セットガイド４３２についても同様である。このことにより、セットガイド４３の第１面４３１Ｈ，４３２Ｈが給紙ローラ４１の上側および給紙ローラ４１の下側へ移動する移動範囲を大きくすることができ、より確実に用紙を給紙ローラ４１に接触および非接触にすることができる。
【００８７】
（４）また、本実施形態の画像読取装置１によれば、次のような作用効果を奏する。すなわち、第１セットガイド４３１の第２部材４３１Ｂが、第１部位４３１Ｆと、第２部位４３１Ｇと、を備える。第１部位４３１Ｆが第１面４３１Ｈを有する。第２部位４３１Ｇが、第１面４３１Ｈが第１ローラ４１１の表面の全面よりも給紙ローラ４１の表面から離間する方向の上側となる第３位置において、第１部材４３１Ｆから離間する。第２部位４３１Ｇが、第３位置において、第１部材４３１Ａと接触するよりも第１部材４３１Ａが第２部材４３１Ｂに接触する場所である接触位置４３１Ｅと第２回転軸心４３１Ｉとの間の距離Ｒ１が大きくなる。第２セットガイド４３２についても同様である。したがって、ストッパ部材４４が第１位置に位置する際に、セットガイド４３の第１部材４３１Ａ，４３２Ａが第２部材４３１Ｂ，４３２Ｂと接触して、第１面４３１Ｈ，４３２Ｈを給紙ローラ４１の表面の全面よりも給紙ローラ４１の表面から離間する方向の上側に位置させるのに必要な力を低減させることができる。
【００８８】
（５）また、本実施形態の画像読取装置１によれば、次のような作用効果を奏する。すなわち、第１ストッパ４４１が第１位置に位置した際に、第１セットガイド４３１の第１部材４３１Ａが第１回転軸心４３１Ｃ周りに回転し、第２部材４３１Ｂを第２回転軸心４３１Ｉ周りに回転させる。この時、第１部材４３１Ａは、第１ストッパ４４１および第２部材４３１Ｂから力を受ける。第２セットガイド４３２についても同様である。本実施形態の画像読取装置１では、第１セットガイド４３１の第１回転軸心４３１Ｃと第１部材４３１Ａの第１回転軸心４３１Ｃよりも給紙方向側の端部４３１Ｄとの間の距離Ｒ１が、第１部材４３１Ａと第２部材４３１Ｂとが接触する接触位置４３１Ｅと第１回転軸心４３１Ｃとの間の距離Ｒ２以上である。このことにより、より小さい駆動力で、第１セットガイド４３１の第１部材４３１Ａが第２部材４３１Ｂを回転させることができる。第２セットガイド４３２についても同様である。よって、モータＭ１の駆動力を低減できる。
【００８９】
（６）また、本実施形態の画像読取装置１によれば、次のような作用効果を奏する。すなわち、第１セットガイド４３１では、第２部材４３１Ｂの第１部位４３１Ｆが、第３位置において、第１部材４３１Ａとの接触位置４３１Ｅから鉛直下向き方向と水平方向との間の方向に延びる。このことにより、第１セットガイド４３１が第３位置から第４位置へ移動する際に、第２部材４３１Ｂが自重により回動して、第１面４３１Ｈが第１ローラ４１１の上側から第１ローラ４１１の下側に向けて移動しやすくなる。第２セットガイド４３２についても同様である。したがって、より簡単な構成でセットガイド４３の第２部材４３１Ｂ，４３２Ｂを回動させることができる。
【００９０】
（７）また、本実施形態の画像読取装置１によれば、次のような作用効果を奏する。すなわち、第１ストッパ４４１が、給紙方向の反対側を向く第２面４４１Ｂを有する。第１ストッパ４４１が、給紙ローラ軸心４１３に沿った第３回転軸心４４４Ａ周りに回転することにより、第１位置と第２位置との間を回動可能である。第１ストッパ４４１が第１位置と第２位置との間を回動する際の第２面４４１Ｂの軌跡が、第１位置に位置する第１ストッパ４４１の下端４４１Ｃに対して第２面４４１Ｂが給紙方向側に位置する。このことにより、第１ストッパ４４１が第１位置から第２位置へ回動する際に、第２面４４１Ｂに当接する用紙を給紙方向の反対側へ押し戻さなくて良くなる。この結果、第１ストッパ４４１が用紙を給紙方向の反対側へ押し戻すことによる用紙からの反力が低減できる。第２ストッパ４４２についても同様である。この反力が低減できる分ストッパ部材４４の駆動力を低下させることができる。
【００９１】
（８）また、本実施形態の画像読取装置１によれば、次のような作用効果を奏する。すなわち、ストッパ部材４４が第１位置から第２位置に移動する際に、第２面４４１Ｂ，４４２Ｂの軌跡が垂直線ＰＬより給紙方向側を変位する。この結果、第１位置に位置するストッパ部材４４の第２面第２面４４１Ｂ，４４２Ｂに当接した用紙を、給紙方向と反対方向に押し戻すことによる用紙からの反力が低減できる。この反力が低減できる分ストッパ部材４４の駆動力を低下させることができる。
【００９２】
（９）また、本実施形態の画像読取装置１によれば、次のような作用効果を奏する。すなわち、給紙ローラ４１が、給紙ローラ軸心４１３に沿って間隔を置いて配置された第１ローラ４１１と第２ローラ４１２とを備える。ストッパ部材４４が、第１ストッパ４４１と、第２ストッパ４４２と、第３ストッパ４４３と、を備える。第１ストッパ４４１が、給紙ローラ軸心４１３に沿う方向において第１ローラ４１１よりも第２ローラ４１２と反対側に配置されている。第２ストッパ４４２が給紙ローラ軸心４１３に沿う方向において第２ローラ４１２よりも第１ローラ４１１と反対側に配置されている。第３ストッパ４４３が給紙ローラ軸心４１３に沿う方向において第１ローラ４１１と第２ローラ４１２との間に配置されている。このことにより、第１ローラ４１１および第２ローラ４１２の給紙ローラ軸心４１３に沿う方向の幅寸法以下である用紙を使用する場合でも、第１位置に位置する第３ストッパ４４３に用紙を接触させることができる。
【００９３】
（１０）また、本実施形態の画像読取装置１によれば、次のような作用効果を奏する。すなわち、セットガイド４３が、給紙ローラ４１を給紙ローラ軸心４１３に沿う方向に挟む２つの第１セットガイド４３１と第２セットガイド４３２とを備え、第１セットガイド４３１と第２セットガイド４３２とが、給紙ローラ軸心４１３に沿う方向に沿う軸４３３に設けられる。この結果、２つの第１セットガイド４３１と第２セットガイド４３２の回動状態の同期が取れるので、給紙ローラ４１により搬送される用紙の先端が揃い、斜行を低減することができる。
【００９４】
（１１）また、本実施形態の画像読取装置１によれば、次のような作用効果を奏する。すなわち、第１駆動機構４５１が、給紙ローラ４１に対向して配置されたリタードローラ４２を駆動するためのモータＭ２を備える。第１駆動機構４５１が、モータＭ２の駆動力をストッパ部材４４に伝達する伝達機構として機能する。ストッパ部材４４を駆動するためのモータを別途備える場合には、リタードローラ４２を駆動するためのモータとの間で同期させる必要があるが、本実施形態の画像読取装置１によれば、上述のような同期を行わなくてもよい。また、ストッパ部材４４を駆動するためのモータを別途備える場合に比べて、画像読取装置１を簡単な構成とすることができる。
【００９５】
（１２）本実施形態は読取部を備える画像読取装置１を本発明の搬送装置の一例として説明したが、読取部を必ず備える必要はなく、画像読取装置１以外に、用紙に画像を形成する画像形成装置に適用することもできる。画像形成部における画像形成の方式は、電子写真方式であってもよいし、インクジェット方式であってもよい。
【００９６】
（１３）本実施形態はセットガイド４３が第１部材４３１Ａ、および第２部材４３１Ｂを備えたが、第２部材４３１Ｂを備えなくてもよい。すなわち、モータＭ１からの駆動力により、ストッパ部材４４の下端４４１Ｃが第１部材４３１Ａの給紙方向の端部４３１Ｄを下側に押下すると、第１部材４３１Ａの給紙方向と反対側の端部４３１Ｅが上方向に移動してもよい。よってストッパ部材４４が第１位置に移動することにより、端部４３１Ｅが、給紙ローラ４１の表面よりも上側に位置し、セットガイド４３が第３位置に移動すればよい。この結果、端部４３１Ｅの上面に載置された用紙は、給紙ローラ４１の表面と接触しない。
【００９７】
（１４）本実施形態では、モータＭ１の駆動力によりストッパ部材４４がセットガイド４３と接触、または離間することにより、ストッパ部材４４が第１位置に位置することによりセットガイド４３が第３位置に位置し、ストッパ部材４４が第２位置に位置することによりセットガイド４３が第４位置に位置した。すなわち、ストッパ部材４４は、給紙ローラ４１による給紙方向への用紙の侵入を規制する規制状態と、給紙方向への用紙の侵入を許可する許可状態とを規定する。この規制状態と許可状態とがモータＭ１により変化される。また、セットガイド４３は、モータＭ１によりストッパ部材４４が規制状態に変化されることにより、ストッパ部材４４と同期して用紙を給紙ローラ４１と非接触にさせる非接触状態となり、モータＭ１によりストッパ部材４４が許可状態に変化されることにより、ストッパ部材４４と同期して用紙を給紙ローラ４１と接触させる接触状態となる。この接触、または離間に限らず、図示しないセンサが、ストッパ部材４４が、第３位置に移動したことを検知したと制御部が認識すると、ストッパ部材４４がセットガイド４３に接触することなく、モータＭ１、モータＭ２、または図示しない駆動源からの駆動力により、セットガイド４３を第３位置に移動させてもよい。また、ストッパ部材４４が、第３位置に移動したことを検知したと制御部が認識すると、ストッパ部材４４がセットガイド４３に接触することなく、モータＭ１、モータＭ２、または図示しない駆動源からの駆動力により、セットガイド４３を第４位置に移動させてもよい。
【符号の説明】
【００９８】
１…画像読取装置、１０…筐体、１１…第１筐体、１１Ａ…開口、１２…第２筐体、１３…シュート、２０…給紙トレイ、２１…載置面、２２，２３…サイドガイド、３０…排出トレイ、３１…載置面、４０…給紙機構、４１…給紙ローラ、４２…リタードローラ、４３…セットガイド、４４…ストッパ部材、４５…駆動機構、４６…支持部材、１０２Ａ，１０２Ｂ，１０２Ｃ，１０３Ａ，１０４Ａ，１０５Ａ，１０６Ａ，１０７Ａ，１０８Ａ，１０８Ｃ，１０９Ａ，１１０Ａ，１１１Ａ，１１２Ａ，１１３Ａ，１１４Ａ，１１５Ａ…歯車、１０８Ｂ…回転軸、４１１…第１ローラ、４１１Ａ…ローラ面、４１２…第２ローラ、４１２Ａ…ローラ面、４１３…給紙ローラ軸心、４３１…第１セットガイド、４３１Ａ…第１部材、４３１Ｂ…第２部材、４３１Ｃ…第１回転軸心、４３１Ｄ…端部、４３１Ｅ…接触位置、４３１Ｆ…第１部位、４３１Ｇ…第２部位、４３１Ｈ…第１面、４３１Ｉ…第２回転軸心、４３２…第２セットガイド、４３２Ａ…第１部材、４３２Ｂ…第２部材、４３２Ｃ…第１回転軸心、４３２Ｄ…端部、４３２Ｅ…接触位置、４３２Ｆ…第１部位、４３２Ｇ…第２部位、４３２Ｈ…第１面、４３３…軸、４４１…第１ストッパ、４４１Ｂ…第２面、４４１Ｃ…下端、４４２…第２ストッパ、４４２Ｂ…第２面、４４２Ｃ…下端、４４３…第３ストッパ、４４３Ｂ…第２面、４４３Ｃ…下端、４４４…支持部材、４４４Ａ…第３回転軸心、４４４Ｂ…突起、４４４Ｃ…上面、４４５…付勢ばね、４５１…第１駆動機構、４５１Ａ…下側駆動機構、４５１Ｂ…上側駆動機構、４５１Ｃ，４５１Ｄ，４５１Ｅ，４５１Ｆ…回転軸、４５１Ｃ１，４５１Ｃ２…搬送ローラ、４５１Ｇ…カム、４５１Ｈ…付勢ばね、４５２…第２駆動機構、４５２Ａ…回転軸、４６１…第１部材、４６１Ａ…面、４６１Ｂ…第１開口、４６１Ｃ…第２開口、４６１Ｄ…第１爪部、４６１Ｅ…第２爪部、４６２…第２部材、４６３…第３部材、Ｍ１…モータ、Ｍ１Ｃ…ベルト、Ｍ２…モータ、Ｍ２Ｃ…ベルト。
【図１】
0006543904.tif 000002
【図２】
0006543904.tif 000003
【図３】
0006543904.tif 000004
【図４】
0006543904.tif 000005
【図５】
0006543904.tif 000006
【図６】
0006543904.tif 000007